(57)【要約】【課題】  異なる通信事業者が運用する複数の通信ネットワークにおいて、ローミングしている移動機が、ローミング先の通信ネットワークと通信を行う場合には、通信ネットワークは、移動機の無線能力に関し、移動機が報告した無線能力しか知ることができなかった。通信ネットワークと移動機との間で、対応できる無線能力に差異がある場合、ローミング動作時の移動機がユーザデータチャネルの確立に失敗したり、ネットワーク側の意図しない動作を行ったりする問題があった。【解決手段】  移動機は、ＰＬＭＮ判断内部リスト３０と無線能力内部リスト３１を備え、接続するネットワーク判断部１２において接続する通信ネットワークの詳細情報が出力され、接続する通信ネットワークが決定される。無線能力選択部１３において無線能力内部リスト３１の中から、無線能力値を選択し、無線能力報告リストを接続と判断した通信ネットワークに報告する。【選択図】  図２
2006295563.tif 000002
【特許請求の範囲】
【請求項１】
異なる通信事業者が運用する通信ネットワークとの相互接続が可能な移動通信システムであって、
異なる通信事業者の運用する複数の通信ネットワークと無線通信を行うことができ、前記複数の通信ネットワークの中から選択した接続する通信ネットワークに応じて、あらかじめ記憶された無線能力内部リストの中の無線能力項目の少なくとも一つに対して、無線能力値を選択し、前記選択した無線能力値からなる無線能力報告リストを、前記接続する通信ネットワークに報告する移動機を備え、
前記通信ネットワークは、前記移動機からの無線能力報告リストに基づいて、前記移動機とのユーザデータチャネルリンクを確立する無線ネットワーク装置を含むことを特徴とする移動通信システム。
【請求項２】
前記接続する通信ネットワークに応じて選択する無線能力値は、前記移動機が準拠している仕様番号で規定される無線能力値の範囲内であることを特徴とする請求項１に記載の移動通信システム。
【請求項３】
異なる通信事業者により運用される複数の通信ネットワークと通信が可能であり、前記複数の通信ネットワークの各々に、無線能力を報告する移動機であって、
前記複数の通信ネットワークの中から、通信可能な通信ネットワークを検索する通信ネットワーク検索手段と、
前記通信可能な通信ネットワークの中から、あらかじめ記憶された通信ネットワーク判断内部リストに基づいて、接続する通信ネットワークを決定する通信ネットワーク判断手段と、
前記通信ネットワーク判断手段において決定された、前記接続する通信ネットワークの詳細情報と利用するサービスの情報とに応じて、あらかじめ記憶された無線能力内部リストの中の複数の無線能力項目の各々もしくは一部に対して、無線能力値を選択する無線能力選択手段と、
前記無線能力選択手段において選択した複数の前記無線能力値からなる無線能力報告リストを通信ネットワークに対して報告する無線能力報告手段と、
を含み前記複数の通信ネットワークとの通信制御を行う制御部と、
前記通信ネットワーク判断内部リストおよび前記無線能力内部リストを、固有情報の一部として含む記憶部と、
前記制御部の制御によって、前記通信ネットワーク検索および前記無線能力の報告を行い、前記接続する通信ネットワークとの間において、前記無線能力報告リストを無線インタフェース上で送受信する無線部と、
を備えることを特徴とする移動機。
【請求項４】
前記接続する通信ネットワークに応じて選択する無線能力値は、前記移動機が準拠している仕様番号で規定される無線能力値の範囲内であることを特徴とする請求項３に記載の移動機。
【発明の詳細な説明】
【技術分野】
【０００１】
本発明は、移動通信システムおよび移動機に関する。詳細には、無線能力を通信ネットワークに報告する移動通信システムおよび移動機に関する。
【背景技術】
【０００２】
移動機が待ち受け状態（電源ＯＮを含む）から無線リンクおよびユーザデータチャネルを確立する際には、移動機の無線能力に応じた無線リソースを割り当てるために、通信ネットワークはその移動機の無線能力を知る必要がある。
【０００３】
ユーザが様々なサービスを利用するためには、無線リンク確立およびユーザデータチャネル確立の手順の一つとして、移動機は自らの無線能力を通信ネットワークに報告する（非特許文献１）。例えば、３ＧＰＰ規格によれば、移動機の情報を通信ネットワーク側に報告する（例えば、非特許文献１および非特許文献２）。ここでいう無線能力とは、移動機が備えるべき無線送受信機としてのレイヤ１レベルの無線能力のほかに、チャネル構成を規定するより上位レイヤの能力をも含む概念である。例えば、レイヤ１レベルの無線能力として移動機の出力電力（UE power class）、送受信の周波数間隔（Tx/Rx frequency separation）などのほかに、より上位レイヤの能力としてバッファサイズ（例えば、Total RLC AM and MAC-hs buffer size）、ウインドウサイズ（例えば、Maximum RLC AM window size）、圧縮モードの選択（例えば、Need for downlink compressed mode ）、移動機が準拠する仕様番号（例えば、Access stratum release indicator）などをも含む。
【０００４】
【非特許文献１】The 3rd Generation Partnership Project (3GPP), TS 25.331, 8.1.6  （無線能力の報告に関する）
【非特許文献２】The 3rd Generation Partnership Project (3GPP), TS 25.306  （無線能力の項目に関する）
【非特許文献３】The 3rd Generation Partnership Project (3GPP),   TS 23.122, 3.1,4.4  （ＰＬＮＭの選択方法に関する）
【発明の開示】
【発明が解決しようとする課題】
【０００５】
しかしながら、従来の移動通信システムにおいては、通信ネットワークの無線能力の一部、もしくは複数の部分において、移動機が報告した無線能力を超えて通信を行った場合に、問題が起こる場合があった。例えば、ユーザデータチャネルの確立に失敗したり、移動機が通信ネットワークの意図しない動作を行ったりする可能性がある。特に、ある移動機が自分が契約している事業者のネットワークに接続するのではなく、別の通信事業者の通信ネットワークとローミングをしている場合に、上述したような問題が発生する。以下、この問題について説明する。
【０００６】
移動通信システムは、大別すれば、通信ネットワークＰＬＭＮ（Ｐｕｂｌｉｃ  Ｌａｎｄ  Ｍｏｂｉｌｅ  Ｎｅｔｗｏｒｋ）とそのサービスエリアの下で動作する移動機とで構成されている。移動通信システムにおいては、通常、準拠するシステムの開発段階に合わせて、順次、様々な機能が段階的に導入されていく。すなわち、通信ネットワーク側においても、移動機側においても、発展的に新しい機能やより性能の優れた機能が順次導入されていく。
【０００７】
したがって、移動通信システムの運用時期が異なれば、同一の通信事業者の移動通信システム内においてさえも、通信ネットワーク側と移動機側で、サポートしている機能が異なっている場合がある。例えば、ある機能について、通信ネットワーク側がサポートしているが、移動機側がサポートしていないという場合や、その逆の場合もある。
【０００８】
したがって、上に説明したように、ある時点では、各通信事業者が運用する通信ネットワークシステム内において、システムの構成要素間、特に通信ネットワークＰＬＭＮと移動機の間には、サポートしている機能、すなわち無線能力に差異がある。
移動機がサポートしている無線能力は、「移動機が準拠している仕様番号（Ｒｅｌｅａｓｅ＃）」によって特定することができる。移動機が準拠している仕様番号（Ｒｅｌｅａｓｅ＃）に対応して、移動機の無線能力各項目の内容が規定されている。また、同一Ｒｅｌｅａｓｅ＃でもその版数（Ｖｅｒｓｉｏｎ）によって、サポートする無線能力は異なってくる。例えば、３ＧＰＰで策定される標準規格においては、比較的長期間にわたって大きなシステム仕様変更を伴う規格の改定を、仕様番号（Ｒｅｌｅａｓｅ）によって区別する。また、同一の仕様番号の規格内においても、比較的短期間でより小規模な範囲に関する規格の改定を、版数（Ｖｅｒｓｉｏｎ）によって区別している。例えば具体的には、３ＧＰＰの標準規格においては、Ｒｅｌｅａｓｅ５．１の場合、５はＲｅｌｅａｓｅ＃に、１はＶｅｒｓｉｏｎ＃に該当している。従来技術では、例えば３ＧＰＰのＣＤＭＡ通信システムにおいては、通信ネットワークと移動機間では、仕様番号（Ｒｅｌｅａｓｅ）情報によって、移動機の無線能力を認識していた。
【０００９】
また、同一の通信事業者の移動通信ネットワークＰＬＭＮ内の場合は、通信ネットワークと移動機の無線能力に差異があっても、問題を回避することができる。なぜならば、同一通信事業者内であれば、自分の通信ネットワークＰＬＭＮ内で動作している様々な種類の移動機の仕様番号・版数について、通信ネットワーク（通信事業者）自身がこれを把握している。したがって、各々の仕様番号・版数に対応して、通信ネットワークＰＬＭＮ側が適切な無線リソースを移動機に割り当てるように動作させるからである。
【００１０】
問題となるのは、ある移動機が準拠している仕様番号（ｒｅｌｅａｓｅ＃）はローミングする通信ネットワークＰＬＭＮの仕様番号（ｒｅｌｅａｓｅ＃）と同じだが、版数（Ｖｅｒｓｉｏｎ＃）は遅れている場合である。移動機の仕様番号が通信ネットワークＰＬＭＮの仕様番号より進んでいる場合は、上記のような問題は生じない。
【００１１】
ここで、複数の移動通信ネットワークが、複数の異なる通信事業者によって運用されている状況を考えてみる。例えば、同一地域において、複数の通信事業者が同一規格の移動通信システムを運用する場合がある。このような状況においては、これら異なる通信事業者間で、サービスのカバリッジを補完するためなどの理由のため、いわゆるローミング契約が行われる場合がある。また、サービス地域が異なる複数の通信事業者間の場合でも、上記と同じ理由で、それら複数の通信事業者間においてローミング契約が行われる場合がある。このような場合、従来技術においては、移動機はローミングする通信ネットワーク側に対して、移動機自身が持っている最大の能力（ハードウェアに搭載した能力）をそのままローミング側のネットワークに送信する。
【００１２】
移動機が準拠している仕様番号と移動機がローミングする通信ネットワークの仕様番号（ｒｅｌｅａｓｅ＃）が同じであれば、通信ネットワークはその仕様番号どおりの処理をしている。しかし、ここで通信ネットワークの版数（Ｖｅｒｓｉｏｎ＃）が進んでいると、通信ネットワークの要求する処理に対して移動機の無線能力が対応できない場合があり、上記で述べたような問題が生じる。
【００１３】
図８は、移動機と無線通信ネットワークとの無線能力の差異によって発生する問題を説明する概念図である。図８（ｂ）のように、移動機の仕様番号（Ｒｅｌｅａｓｅ＃）が、ネットワーク側の仕様番号よりも進んでいる場合、つまり移動機側の無線能力がより新しい場合には、問題は起きない。しかし、図８（ａ）のように、移動機の仕様番号は、ネットワーク側の仕様番号（Ｒｅｌｅａｓｅ＃）と同じだが、バーション（Ｖｅｒｓｉｏｎ＃）が古い場合、つまり移動機側の無線能力がより古い場合に問題が発生する場合がある。
【００１４】
例えば、図８（ａ）のような場合には、ローミングをしている移動機が、ユーザデータチャネルの設定を正常に行えなかったり、ユーザデータチャネルリンク確立の成功率が低下したりする問題があった。さらに、無線リンク確立後であっても、移動機が、ネットワーク側の意図しない異常な動作を起こしてしまう可能性もあった。例えば、移動機がネットワークの応答に反応しないままネットワークとの接続処理を停止したり、ネットワークの応答に対してＦａｉｌｕｒｅメッセージ応答を返送したりするなどの現象が起こる。
【００１５】
尚、移動機の仕様番号（Ｒｅｌｅａｓｅ＃）がネットワーク側の仕様番号（Ｒｅｌｅａｓｅ＃）よりも古い場合には、問題は起きない。従来技術によって、移動機が仕様番号（Ｒｅｌｅａｓｅ＃）を報告することにより、仕様上規定されている後方互換性（Ｂａｃｋｗａｒｄ  ｃｏｍｐａｔｉｂｉｌｉｔｙ）に基づいて、通信ネットワーク側は移動機の無線能力に適応できるからである。
【００１６】
また、移動機においては、移動機製造メーカが移動機を出荷する時期によって、サポートする無線能力が少しずつ異なっている場合もあった。このような移動機の詳細な無線能力の差異を、ローミングする側のネットワークにおいて、詳細に知ることは難しい。このような場合にも、ユーザデータチャネルの設定が正常に行えなかったり、ユーザデータチャネル確立の成功率が低下したりする問題があった。さらに、無線リンク確立後であっても、移動機が、ネットワーク側の意図しない異常な動作を起こしてしまう可能性もあった。
【００１７】
本発明は、以上に述べたように、通信ネットワークと移動機との無線能力の差異に起因して、ローミング動作時の移動機が、ユーザデータチャネルの確立に失敗したり、ユーザデータチャネルリンク確立の成功率が低下したり、あるいは、移動機がネットワーク側の意図しない動作を行ったりする問題を解決することを目的としている。
【００１８】
そこで、移動機の仕様番号の版数（Ｖｅｒｓｉｏｎ＃）が通信ネットワークより遅い場合に、接続する通信ネットワークに応じて、移動機が報告する無線能力を選択・変更することによって、移動機と無線通信ネットワークとの通信を正常に行う。
【課題を解決するための手段】
【００１９】
本発明は、このような目的を達成するために、請求項１に記載の発明は、異なる通信事業者が運用する通信ネットワークとの相互接続が可能な移動通信システムであって、異なる通信事業者の運用する複数の通信ネットワークと無線通信を行うことができ、前記複数の通信ネットワークの中から選択した接続する通信ネットワークに応じて、あらかじめ記憶された無線能力内部リストの中の無線能力項目の少なくとも一つに対して、無線能力値を選択し、前記選択した無線能力値からなる無線能力報告リストを、前記接続する通信ネットワークに報告する移動機を備え、前記通信ネットワークは、前記移動機からの無線能力報告リストに基づいて、前記移動機とのユーザデータチャネルリンクを確立する無線ネットワーク装置を含むことを特徴とする。
【００２０】
請求項２に記載の発明は、前記接続する通信ネットワークに応じて選択する無線能力値は、前記移動機が準拠している仕様番号で規定される無線能力値の範囲内であることを特徴とする。
【００２１】
請求項３に記載の発明は、異なる通信事業者により運用される複数の通信ネットワークと通信が可能であり、前記複数の通信ネットワークの各々に、無線能力を報告する移動機であって、前記複数の通信ネットワークの中から、通信可能な通信ネットワークを検索する通信ネットワーク検索手段と、前記通信可能な通信ネットワークの中から、あらかじめ記憶された通信ネットワーク判断内部リストに基づいて、接続する通信ネットワークを決定する通信ネットワーク判断手段と、前記通信ネットワーク判断手段において決定された、前記接続する通信ネットワークの詳細情報と利用するサービスの情報とに応じて、あらかじめ記憶された無線能力内部リストの中の複数の無線能力項目の各々もしくは一部に対して、無線能力値を選択する無線能力選択手段と、前記無線能力選択手段において選択した複数の前記無線能力値からなる無線能力報告リストを通信ネットワークに対して報告する無線能力報告手段とを含み前記複数の通信ネットワークとの通信制御を行う制御部と、前記通信ネットワーク判断内部リストおよび前記無線能力内部リストを、固有情報の一部として含む記憶部と、前記制御部の制御によって、前記通信ネットワーク検索および前記無線能力の報告を行い、前記接続する通信ネットワークとの間において、前記無線能力報告リストを無線インタフェース上で送受信する無線部とを備えることを特徴とする。
【００２２】
請求項４に記載の発明は、前記接続する通信ネットワークに応じて選択する無線能力値は、前記移動機が準拠している仕様番号で規定される無線能力値の範囲内であることを特徴とする。
【発明の効果】
【００２３】
以上説明したように、本発明によれば、通信ネットワーク（通信事業者）に応じて、移動機が報告する無線能力を選択しまたは一部変更する。これにより、移動機がユーザデータチャネルの確立に失敗したり、ユーザデータチャネル確立の成功率が低下したり、通信ネットワークが意図しない動作をしたりすることなく、通信ネットワークと移動機は正常に通信を行うことができる。
【発明を実施するための最良の形態】
【００２４】
（本発明の実施形態に係る移動通信システムの構成）
図１は、本発明の実施形態における移動通信システムの構成を説明する図である。
（システム構成の主な装置）
図１において示すように、本発明の実施形態の移動通信システムは、複数の通信事業者が運用する複数の通信ネットワークＰＬＭＮと、それらの通信ネットワークＰＬＭＮを選択し接続する移動機とにより構成される。
【００２５】
各通信ネットワークＰＬＭＮは、コアネットワークＣＮと移動機の無線リソース割り当てを制御する無線ネットワーク装置から成り立っている。
【００２６】
図１においては、通信ネットワークＰＬＭＮ＃１（１）と、異なる事業者が運用する通信ネットワーク＃２（２）が存在し、それぞれ、通信ネットワークＰＬＭＮ＃１（１）のサービスエリア７と通信ネットワークＰＬＭＮ＃２（２）のサービスエリア８は、隣接して配置されている。この２つのサービスエリア７、８は、オーバーラップしたエリア９を有している。通信ネットワークＰＬＭＮ＃１（１）は、コアネットワークＣＮ＃１（３）と無線ネットワーク装置＃１（５）から構成され、通信ネットワークＰＬＭＮ＃２（２）は、コアネットワークＣＮ＃２（４）と無線ネットワーク装置＃２（６）から構成される。図１にはおいては、移動機１０は、複数の通信事業者のいずれとも通信が可能である場合を想定している。すなわち、通信ネットワークＰＬＭＮ＃１（１）の事業者と通信ネットワークＰＬＭＮ＃２（２）事業者間でローミングが行われている場合に適応される。
【００２７】
移動機１０は、通信ネットワークＰＬＭＮ＃１（１）のサービスエリア７に在圏すると通信ネットワークＰＬＭＮ＃１（１）の報知情報を読み取った後、通信ネットワークＰＬＭＮ＃１（１）に接続し、無線ネットワーク装置＃１（５）によって制御される。
【００２８】
移動機１０がオーバーラップしているサービスエリア９に移動すると、通信ネットワークＰＬＭＮ＃１（１）と通信ネットワークＰＬＭＮ＃２（２）の両方の報知情報を読み取って、接続するＰＬＭＮとして通信ネットワークＰＬＭＮ＃１（１）か通信ネットワークＰＬＭＮ＃２（２）のいずかを選択し、接続することができる。
【００２９】
また、さらに移動をして通信ネットワークＰＬＭＮ＃２（２）のサービスエリア８に在圏すると、通信ネットワークＰＬＭＮ＃２（２）に接続し、無線ネットワーク装置＃２（６）によって制御される。
【００３０】
（移動機の機能の説明）
図２は、本発明の実施形態に係る移動通信システムを構成する移動機の機能ブロック図を示す。
【００３１】
移動機１０は、通信ネットワーク検索部１１と、接続するネットワーク判断部１２と、無線能力選択部１３と、無線能力報告部１４とを備えている。本発明の特徴的部分である移動機における上記各部の機能および処理について、以下詳細に説明する。
【００３２】
図７は、本発明にかかる移動機の構成の概要を示すブロック図である。移動機２１は、音声を入力するマイク２８、音声等を出力するスピーカ２７、情報を表示するディスプレイ２６等が接続された制御部２４と、無線部２３、および電源部２５からなる。電源部２５は、制御部２４や無線部２３に接続され、移動機の動作に必要な電力を供給する。無線部２３は、制御部２４とアンテナ部２２が接続され、移動機外部と電波の送受信を行って、エアインタフェースを経由して通信ネットワークＰＬＭＮと無線通信を行う。
【００３３】
制御部２４は、書き込み可能なメモリなどで構成される記憶部２９を含む。記憶部２９には、移動機のユーザ固有の情報や後述する本発明に特有の複数のリストを記憶しておく。制御部２４は、必要に応じて、記憶部２９に記憶されているリストを参照する。制御部２４は、図３には記載されていないがＣＰＵなどを含み、ＣＰＵ上で実行される制御ソフトウエアに基づいて移動機全体の制御を行う。図３の移動機の構成はこれに限定されるわけでなく、図３には示されていないキー入力部などの入力手段、他の表示装置などの出力手段などを含むことができる。また、図３の構成の移動機は、これらの機能ブロックあるいはその一部を含む他の機器の一部を構成する場合であっても良い。
【００３４】
図２に示した本発明特有の各機能部の機能・処理は、主として、図７における移動機ブロック図の制御部２４において実行される。一部の機能・処理は、制御部２４の制御のもとで、無線部２３によっても実行される。以下、必要に応じて図７における移動機の動作も参照しながら説明する。
【００３５】
図３は、通信ネットワーク検索部および接続するネットワーク判断部の動作を説明する図である。通信ネットワーク検索部１１は、移動機が通信を行おうとするエリアにおいて、各通信ネットワークの報知チャネルより、通信ネットワークＰＬＭＮの識別番号情報（ＰＬＭＮ  ＩＤ）やタイプ情報（ＰＬＭＮ type ）を読み取る。通信ネットワーク検索部１１は、エリア内の接続可能なＰＬＭＮのリストを作成し、接続する通信ネットワーク判断部１２へ、このリストを出力するように構成されている。上記の通信ネットワーク検索部１１の処理は、移動機の制御部２４におけるソフトウエア処理によって実行することができる。移動機内に記憶されたソフトウエアに基づいて、制御部２４により無線部２３が制御され、報知チャネルへの同調や報知チャネル情報の復調などが行われる。
【００３６】
接続するネットワーク判断部１２は、上記の通信ネットワーク検索部１１より求めた接続可能なＰＬＭＮのリストから、移動機の記憶部２９に記憶されたＰＬＭＮ判断内部リスト３０を参照し、ＰＬＭＮ判断内部リスト３０中から、接続する通信ネットワークＰＬＭＮを一つ選択し、決定するように構成されている。
【００３７】
“ＰＬＭＮ判断内部リスト３０”には、その移動機が接続できる可能性のある通信ネットワークＰＬＭＮの識別番号（ＰＬＭＮ  ＩＤ）やタイプ（ＰＬＭＮ  Ｔｙｐｅ）、各通信ネットワークが運用可能な無線アクセス技術（ＡＴ）、および各通信ネットワークの仕様番号（Ｒｅｌ）や版数（Ｖｅｒ）などといった通信ネットワークの詳細情報を互いに対応させたものが記載されている。このＰＬＭＮ判断内部リスト３０は、移動機が製造されたときに、例えばその移動機製造メーカにより、移動機内の記憶部２９に書き込まれる。移動機の販売業者などにより書き込まれる場合であっても良い。
【００３８】
移動機が報知チャネルの情報から認識することができた各々の接続可能な通信ネットワークＰＬＭＮリストの中から、上記のＰＬＭＮ判断内部リスト３０を参照して、既存の判断基準に従って移動機が接続するＰＬＭＮを決定する。既存の接続ＰＬＭＮの判断基準として、各通信ネットワークＰＬＭＮの報知チャネルの信号強度で決定しても良い。あるいは、移動機内に記憶してあるＰＬＭＮ優先順位の順番にしたがって決定しても良い。また、ユーザが移動機のユーザインターフェイス（キーパッド）から接続する通信ネットワークを入力して決定してもよい。上記の接続するネットワーク判断部１２の処理は、移動機の制御部２６により、ソフトウエア処理によって実行することができる。
【００３９】
上記のＰＬＭＮ判断内部リスト３０を用いて判断した、接続する通信ネットワークＰＬＭＮの詳細情報（ＰＬＭＮ  ＩＤ、無線アクセス技術、ＰＬＭＮの仕様番号、ＰＬＭＮ版数など）は、次の無線能力選択部１３に入力される。
【００４０】
無線能力選択部１３は、移動機が接続すると判断した通信ネットワークＰＬＭＮの詳細情報に基づき、この通信ネットワークＰＬＭＮに報告する無線能力の選択をするように構成されている。
【００４１】
図４は、無線能力選択部の処理手順を説明する概念図である。無線能力選択部１３は、移動機が実際にハードウェアとして搭載した無線能力の各項目について、この移動機が準拠した規格の仕様番号＃α、及び版数＃βに基づく無線能力の複数の値が記載された“無線能力内部リスト３１”を参照する。この無線能力内部リスト３１は、移動機内の制御部２４の記憶部２９に記憶されている。その移動機の製造時に、その移動機が準拠した規格の仕様番号＃α、及び版数＃βに基づいて、この移動機が対応可能な無線能力を表す無線能力内部リスト３１が作成され、記憶部２９に書き込まれる。
【００４２】
無線能力選択部１３は、接続するネットワーク判断部１２において接続すると判断したＰＬＭＮの詳細情報と、移動機が受けたい通信サービス（音声通話、パケット等）に応じて、無線能力内部リスト３１の無線能力の全項目もしくは一部の項目に対して、各範囲内の無線能力値から、無線能力の値を変更し、ある値を選択する。
【００４３】
例えばＰＬＭＮ＃１を選択した場合を図４（ａ）に、ＰＬＭＮ＃２を選択した場合を図４（ｂ）に示している。図４（ａ）、図４（ｂ）において、無線能力内部リスト３１は、ｍ個の無線能力項目と、ｎ個の無線能力値を有する構成となっている。ここで、無線能力値の数は、すべての無線能力項目において必ずしもｎ個あるわけではない。すなわち、ｎ個よりも少ない数の無線能力値しか持たない無線能力項目もある。例えば、無線能力値が、Ｙｅｓ、Ｎｏの２つを選択する場合も含まれる。図４（ａ）を参照すれば、ＰＬＭＮ＃１が選択された場合、選択したＰＬＭＮ＃１の詳細情報に従って、無線能力の項目＃１についてｂ１が選択され、無線能力の項目＃２についてａ２が選択され、無線能力の項目＃ｍについてｎｍが選択される。図４（ｂ）を参照すれば、別のＰＬＭＮ＃２が選択された場合には、選択したＰＬＭＮ＃２の詳細情報に従って、無線能力の項目＃１についてａ１が選択され、無線能力の項目＃２についてｂ２が選択され、無線能力の項目＃ｍについてｂｍが選択される。
【００４４】
すなわち、移動機が選択する通信ネットワークＰＬＭＮの詳細情報に従って、移動機が有する無線能力の各項目に対して、適切な無線能力値を選択している。移動機が選択する通信ネットワークＰＬＭＮが異なれば、移動機は異なる無線能力値を持った無線能力報告リストを生成する。無線能力報告リストは、無線能力選択部１３より出力される。
【００４５】
したがって、移動機がローミングしている通信ネットワークＰＬＭＮと通信を行う場合であっても、接続する通信ネットワークＰＬＭＮは、無線能力報告リストによって移動機の無線能力を詳細に知ることができる。移動機と通信ネットワークの上記の無線能力選択部１３の処理は、移動機の制御部２４により、ソフトウエア処理によって実行することができる。
【００４６】
無線能力報告部１４は、選択した無線能力の項目を、無線能力報告リストとして、接続すると判断した通信ネットワークに報告するように構成されている。無線能力報告部１４の処理は、移動機の制御部２４の制御により、ソフトウエア処理によって実行することができる。
【００４７】
以上、詳細に説明したように、本発明にかかる移動機においては、接続する通信ネットワークＰＬＭＮの詳細情報に応じて、移動機が対応できる無線能力リストをその通信ネットワークＰＬＭＮに報告することができる。したがって、無線能力の差異に起因して、ローミング動作時の移動機が、ユーザデータチャネルの確立に失敗したり、ユーザデータチャネル確立の成功率が低下したり、移動機がネットワーク側の意図しない動作を行ったりする問題を解決することが可能となる。
【００４８】
（本発明の実施形態に係る移動通信システムの動作）
図５は、本発明の第１の実施形態に係る移動通信システムの動作フローを説明する図である。
【００４９】
図１において、通信ネットワークＰＬＭＮ＃１のサービスエリア７と通信ネットワークＰＬＭＮ＃２のサービスエリア８との、オーバーラップしたサービスエリア９に、移動機１０が存在している場合の動作について説明する。
【００５０】
通信ネットワークＰＬＭＮを選択した結果、移動機ＵＥは通信ネットワークＰＬＭＮ＃１に接続し、通信ネットワークＰＬＭＮ＃１に無線能力ＵＥＣａｐを報告する動作について説明する。
【００５１】
まず、ステップＳ１０１ａ〜Ｓ１０１ｂ、Ｓ１０２ａ〜Ｓ１０２ｂは、移動機が各ＰＬＭＮの報知チャネル上で伝送された報知情報を読み取る動作を示している。
【００５２】
ステップＳ１０１ａ〜Ｓ１０１ｂにおいて、通信ネットワークＰＬＭＮ＃１に関する報知情報は、コアネットワークＣＮ＃１から無線ネットワーク装置＃１に転送され、無線ネットワーク装置＃１からエアインタフェースを経て、移動機ＵＥに送信される。
【００５３】
同様に、ステップＳ１０２ａ〜Ｓ１０２ｂにおいては、通信ネットワークＰＬＭＮ＃２に関する報知情報は、コアネットワークＣＮ＃２から無線ネットワーク装置＃２に転送され、無線ネットワーク装置＃２からエアインタフェースを経て、移動機ＵＥに送信される。
【００５４】
通信ネットワークＰＬＭＮ＃１、通信ネットワーク＃２からの報知情報により、移動機ＵＥは通信ネットワーク識別番号であるＰＬＭＮ  ＩＤと、通信ネットワークの種類を示すＰＬＭＮ Ｔｙｐｅ 情報を得る。
【００５５】
ステップＳ１０３において、前述した通信ネットワーク検索部１１の処理が実行される。すなわち、移動機ＵＥの通信ネットワーク検索部において、上記のＰＬＭＮ  ＩＤやＰＬＭＮ Ｔｙｐｅ 情報に基づき、移動機ＵＥが存在しているエリア９の中において、接続可能なＰＬＭＮを検索し、接続可能なＰＬＭＮリストを出力する。
【００５６】
次に、ステップＳ１０４において、前述した接続するネットワーク判断部１２の処理が実行される。接続する通信ネットワーク判断部１２は、ステップＳ１０３において求めた接続可能なＰＬＭＮリストから、この移動機が認識可能な全ＰＬＭＮが記載されている“ＰＬＭＮ判断内部リスト”３０を参照して、通信ネットワークＰＬＭＮ＃１に接続すると判断する。この判断は、前述したように、既存の判断基準に従って行う。例えば、報知チャネル信号強度や記憶された優先順位などに基づいて行われる。
【００５７】
次に、ステップＳ１０５ａにおいて、接続すると判断した通信ネットワークＰＬＭＮ＃１に関するＰＬＭＮ＃１選択通知が、エアインタフェースを経由して無線ネットワーク装置＃１に通知される。ステップＳ１０５ｂにおいて、移動機ＵＥからのＰＬＭＮ＃１選択通知が無線ネットワーク装置＃１からコアネットワークＣＮ＃１に転送される。
【００５８】
ステップＳ１０５ａ〜Ｓ１０５ｂを通じて、無線ネットワーク装置＃１と移動機ＵＥとの間には制御チャネル上の無線リンクが設立され、移動機ＵＥは通信ネットワークＰＬＭＮ＃１に接続することになる。
【００５９】
さらに、ステップＳ１０６において、コアネットワークＣＮ＃１は接続の確認のため、移動機ＵＥにＰＬＭＮ応答を送信する。
【００６０】
引き続き、移動機ＵＥはＰＬＭＮ応答を受信した後、ステップＳ１０７においては、前述した無線能力選択部１３の処理を実行する。すなわち、無線能力選択部１３において、移動機ＵＥが受けたい通信サービス（音声、パケット等）と、ステップＳ１０４において判断した接続する通信ネットワークＰＬＭＮ＃１の詳細情報（適用版数や無線アクセス技術など）に応じて、無線能力の報告リストが作成される。前述したように、移動機ＵＥは、準拠している仕様番号および版数の無線能力項目およびその値が記載されている“無線能力内部リスト３１”を移動機内に記憶している。移動機ＵＥは、通信ネットワークＰＬＭＮ＃１の詳細情報と通信サービスの内容に応じて、無線能力内部リスト３１の中から、この移動機ＵＥに実際に実装された無線能力項目の各値を一部変更したり、所有する能力の範囲の中から無線能力値を選択したりする。選択された各無線能力項目のそれぞれの無線能力値は、報告する無線能力報告リストを構成し、ＵＥ  Ｃａｐ＃１が決定される。
【００６１】
ステップＳ１０８において、前述した無線能力報告部１４の処理が実行される。すなわち、移動機ＵＥは無線能力ＵＥ  Ｃａｐ＃１を通信ネットワーク側に報告する。ステップＳ１０８ａにおいて、無線能力報告部１４はエアインタフェースを経由して、無線能力ＵＥ  Ｃａｐ＃１を無線ネットワーク装置＃１に送信する。
【００６２】
図６は、異なる通信ネットワークへＵＥ  Ｃａｐの送信を説明する場合の概念図である。上記の例では移動機ＵＥが、通信ネットワークＰＬＭＮ＃１に接続する場合の例の説明である。一方、移動機ＵＥが通信ネットワークＰＬＭＮ＃２に接続する場合には、図６に示すように、上述した同じ手順を用いて、無線能力ＵＥ  Ｃａｐ＃２を通信ネットワークＰＬＭＮ＃２に報告する。すなわち、移動機ＵＥは、接続する通信ネットワークＰＬＭＮ＃２の詳細情報およびサービス内容に応じて、無線能力の各項目の値を変更し、選択して、別の無線能力報告リストを生成する。無線能力ＵＥ  Ｃａｐ＃２が無線ネットワーク装置＃２に送信される。
【００６３】
移動機ＵＥから、ＵＥ  Ｃａｐ＃１あるいはＵＥ  Ｃａｐ＃２を受けた、無線ネットワーク装置＃１および無線ネットワーク装置＃２は、それぞれ、この移動機ＵＥの無線能力に応じて、無線リソースを割り当てることができる。移動機がローミングしている場合、すなわち、接続する通信ネットワークＰＬＭＮが、ホーム通信ネットワークとして接続契約している通信ネットワークＰＬＭＮではない場合でも、ローミングする通信ネットワークＰＬＭＮに応じて自分の無線能力を柔軟かつ適応的に変更できることにより、通信ネットワークＰＬＭＮと移動機の無線能力の差異に起因する問題の発生を回避することができる。
【図面の簡単な説明】
【００６４】
【図１】本発明の実施形態の移動通信システム構成を示す図である。
【図２】本発明にかかる移動機の機能ブロック図である。
【図３】通信ネットワーク検索部および接続するネットワーク判断部の動作を説明する図である。
【図４】無線能力選択部の処理手順を説明する概念図である。
【図５】本発明の実施形態に係る移動通信システムの動作フローを説明する図である。
【図６】異なる通信ネットワークへのＵＥ  Ｃａｐ送信を説明する概念図である。
【図７】移動機の構成の概要を示すブロック図である。
【図８】移動機とネットワークとの無線能力の差異によって発生する問題を説明する概念図である。
【符号の説明】
【００６５】
１、２    通信ネットワークＰＬＭＮ＃１、＃２
３、４    コアネットワーク＃１、＃２
５、６  無線ネットワーク装置＃１、＃２
７、８  通信ネットワークＰＬＭＮの＃１、＃２のサービスエリア
９  オーバーラップしたエリア
１０、２１  移動機
１１  通信ネットワーク検索部
１２  接続するネットワーク判断部
１３  無線能力選択部
１４  無線能力報告部
２２  アンテナ
２３  無線部
２４  制御部
２５  電源部
２６  ディスプレイ
２７  スピーカ
２８  マイク
２９  記憶部
３０  ＰＬＭＮ判断内部リスト
３１  無線能力内部リスト
【図１】
2006295563.tif 000003
【図２】
2006295563.tif 000004
【図３】
2006295563.tif 000005
【図４】
2006295563.tif 000006
【図５】
2006295563.tif 000007
【図６】
2006295563.tif 000008
【図７】
2006295563.tif 000009
【図８】
2006295563.tif 000010